(57)【要約】【課題】電位供給線での電圧降下に起因した被駆動素子の状態のバラツキを抑制する。【解決手段】書込期間Ｐwrにおいては、駆動トランジスタＴdrの閾値電圧Ｖthに応じた電位（Ｖdd−Ｖth）が容量素子Ｃ1の電極Ｅa1に供給されるとともに、単位回路Ｕに指定された階調に応じた電位Ｖdataがデータ線１４から電極Ｅa2に供給される。設定期間Ｐstにおいては、トランジスタＴr1がオン状態に変化することによって駆動トランジスタＴdrのゲート電位Ｖgが電位Ｖdataと閾値電圧Ｖthとに応じた制御電位に設定される。駆動期間Ｐdrにおいては制御電位に応じた駆動電流Ｉelの供給によって電気光学素子Ｅが駆動される。駆動期間Ｐdrでは、オン状態を維持するトランジスタＴr1を介して電源電位Ｖddが電源線１７から電極Ｅa2に供給される。【選択図】図２
2007187779.tif 000002
【特許請求の範囲】
【請求項１】
データ線と電位供給線と電子回路とを具備し、前記電子回路が、制御端子と第１端子と
第２端子とを備える駆動トランジスタと、被駆動素子と、第１電極と第２電極とを備える
とともに前記第１電極が前記制御端子に電気的に接続された第１容量素子とを含む電子装
置の駆動方法であって、
第１期間において、前記制御端子の電位を、少なくとも前記データ線に供給されるデー
タ信号と前記駆動トランジスタの閾値電圧とに応じた制御電位に設定し、
前記第１期間で設定された前記制御電位に応じた電圧値を有する駆動電圧または前記制
御電位に応じた電流値を有する駆動電流を前記被駆動素子に供給する第２期間の少なくと
も一部において、前記駆動トランジスタを介して前記被駆動素子を前記電位供給線に電気
的に接続し、
前記第２期間の少なくとも一部において、前記第２電極を前記電位供給線に電気的に接
続する
ことを特徴とする電子装置の駆動方法。
【請求項２】
データ線と電位供給線と電子回路とを具備し、前記電子回路が、制御端子と第１端子と
第２端子とを備える駆動トランジスタと、被駆動素子と、第１電極と第２電極とを備える
とともに前記第１電極が前記制御端子に電気的に接続された第１容量素子とを含む電子装
置の駆動方法であって、
前記制御端子の電位を制御電位に設定する第１期間の少なくとも一部において、前記第
２電極を前記電位供給線から電気的に切断し、
前記制御電位に応じた電圧値を有する駆動電圧または前記制御電位に応じた電流値を有
する駆動電流を前記被駆動素子に供給する第２期間の少なくとも一部において、前記駆動
トランジスタを介して前記被駆動素子を前記電位供給線に電気的に接続し、
前記第２期間の少なくとも一部において、前記第２電極を前記電位供給線に電気的に接
続する
ことを特徴とする電子装置の駆動方法。
【請求項３】
前記第２期間の全区間にわたって前記第２電極を前記電位供給線に電気的に接続する
ことを特徴とする請求項１に記載の電子装置の駆動方法。
【請求項４】
前記第１期間において、前記データ信号に応じた電位を前記第２電極に供給するととも
に、前記駆動トランジスタの閾値電圧に応じた電位を前記第１電極に供給した後、
前記第２電極を前記電位供給線に電気的に接続することによって、前記制御端子の電位
を前記制御電位に設定する
ことを特徴とする請求項１または請求項３の何れかに記載の電子装置の駆動方法。
【請求項５】
前記第１期間において、前記データ線に供給されるデータ信号に応じた電位を前記第２
電極に供給するとともに、前記駆動トランジスタの閾値電圧に応じた電位を前記第１電極
に供給した後、
前記第２電極を前記電位供給線に電気的に接続することによって、前記制御端子の電位
を前記制御電位に設定する
ことを特徴とする請求項２に記載の電子装置の駆動方法。
【請求項６】
前記第２端子は前記電位供給線に接続され、
前記第１期間の少なくとも一部にて前記第１端子と前記制御端子とを電気的に接続する
ことによって、前記閾値電圧に応じた電位を前記第１電極に供給する
ことを特徴とする請求項４または請求項５に記載の電子装置の駆動方法。
【請求項７】
前記第１期間の少なくとも一部において前記第２電極を前記データ線に電気的に接続す
ることによって、前記データ信号に応じた電位を前記第２電極に供給する
ことを特徴とする請求項４または請求項５に記載の電子装置の駆動方法。
【請求項８】
データ線と電位供給線とに対応して配置された電子回路であって、
制御端子と第１端子と第２端子とを備え、前記制御端子の電位に応じて前記第１端子と
前記第２端子との導通状態が変化する駆動トランジスタと、
前記駆動トランジスタの導通状態に応じて前記電位供給線から供給される駆動電圧また
は駆動電流によって駆動される被駆動素子と、
第１電極と第２電極とを備え、前記第１電極が前記制御端子に電気的に接続された第１
容量素子と、
前記第２電極と前記電位供給線との電気的な接続を制御する第１スイッチング素子と
を具備し、
前記データ線から供給されるデータ信号と前記駆動トランジスタの閾値電圧とに少なくと
も応じた制御電位が前記制御端子に供給されることで、前記制御電位に応じた電圧値を有
する駆動電圧または前記制御電位に応じた電流値を有する駆動電流が前記被駆動素子に供
給される駆動期間の少なくとも一部において、前記駆動トランジスタは前記電位供給線に
電気的に接続され、
前記駆動期間の少なくとも一部において、前記第２電極と前記電位供給線とが前記第１
スイッチング素子を介して電気的に接続される
ことを特徴とする電子回路。
【請求項９】
前記データ線と前記第２電極との電気的な接続を制御する第２スイッチング素子と、
前記制御端子と前記第１端子との電気的な接続を制御する第３スイッチング素子と
をさらに具備し、
前記第２端子は前記電位供給線に対して直接に接続される
ことを特徴とする請求項８に記載の電子回路。
【請求項１０】
前記第２スイッチング素子は、前記駆動期間の開始前の書込期間の少なくとも一部にお
いてオン状態となり、
前記第３スイッチング素子は、前記書込期間の少なくとも一部においてオン状態となる
ことを特徴とする請求項９に記載の電子回路。
【請求項１１】
前記第２電極と前記電位供給線との間に介在する第２容量素子
を具備することを特徴とする請求項８から請求項１０の何れかに記載の電子回路。
【請求項１２】
前記駆動トランジスタと前記被駆動素子との電気的な接続を制御する第４スイッチング
素子をさらに具備し、
前記第４スイッチング素子は、前記駆動期間の少なくとも一部においてオン状態となる
ことを特徴とする請求項８から請求項１１の何れかに記載の電子回路。
【請求項１３】
複数のデータ線と複数の電位供給線と複数の電子回路とを具備する電子装置であって、
前記複数の電子回路の各々は、
制御端子と第１端子と第２端子とを備え、前記制御端子の電位に応じて前記第１端子と
前記第２端子との導通状態が変化する駆動トランジスタと、
前記駆動トランジスタの導通状態に応じて前記複数の電位供給線のうち一の電位供給線
から供給される駆動電圧または駆動電流によって駆動される被駆動素子と、
第１電極と第２電極とを備え、前記第１電極が前記制御端子に電気的に接続された第１
容量素子と、
前記第２電極と前記一の電位供給線との電気的な接続を制御する第１スイッチング素子
と、
を具備し、
前記複数のデータ線のうち一のデータ線から供給されるデータ信号と前記駆動トランジ
スタの閾値電圧とに少なくとも応じた制御電位が前記制御端子に供給されることで、前記
制御電位に応じた電圧値を有する駆動電圧または電流値を有する駆動電流が供給される駆
動期間の少なくとも一部において、前記駆動トランジスタは前記電位供給線に電気的に接
続され、
前記駆動期間の少なくとも一部において、前記第２電極は、前記スイッチング素子を介
して前記電位供給線に電気的に接続される
ことを特徴とする電子装置。
【請求項１４】
前記複数の電位供給線は前記複数のデータ線と交差する
ことを特徴とする請求項１３に記載の電子装置。
【請求項１５】
請求項１３または請求項１４に記載の電子装置を具備する電子機器。
【発明の詳細な説明】
【技術分野】
【０００１】
本発明は、有機発光ダイオード（以下「ＯＬＥＤ（Organic  Light  Emitting  Diode
）」という）素子、液晶素子、電気泳動素子、エレクトロクロミック（Electrochromic）
素子、センサ素子、電子放出素子または抵抗素子など各種の被駆動素子の挙動を制御する
技術に関する。
【背景技術】
【０００２】
この種の被駆動素子を駆動するためにトランジスタ（以下「駆動トランジスタ」という
）を利用した電子装置が従来から提案されている。例えば、被駆動素子としてＯＬＥＤ素
子を採用した電子装置（発光装置）においては、各ＯＬＥＤ素子に供給される電流の電流
値が、そのＯＬＥＤ素子に対応して配置された駆動トランジスタによって制御される。し
かしながら、この構成においては、閾値電圧や利得係数といった駆動トランジスタの特性
の誤差やバラツキに起因して各被駆動素子の駆動状態（例えば階調や輝度）にバラツキが
発生するという問題がある。この問題を解決するために、特許文献１には、駆動トランジ
スタの閾値電圧の誤差を補償する構成が開示されている。
【０００３】
図１４は、特許文献１に開示された単位回路の構成を示す回路図である。同図に示され
るように、駆動トランジスタＴdrは、電源電位Ｖddが供給される電位供給線（電源線）Ｌ
pと被駆動素子Ｅとの間に介在する。図１４の構成において、第１に、トランジスタＴ1を
介して駆動トランジスタＴdrをダイオード接続し、これによって駆動トランジスタＴdrの
ゲートをその閾値電圧Ｖthに応じた電位（Ｖdd−Ｖth）に設定する。第２に、トランジス
タＴ2を介してデータ線Ｌdと容量素子Ｃの電極ａとを電気的に接続することで、電極ａの
電位（駆動トランジスタＴdrのゲートの電位）をデータ線Ｌdの電位Ｖdataに応じて変化
させる。以上の動作によって、駆動トランジスタＴdrのゲートの電位は電極ａの電位の変
化量に応じたレベルだけ変動し、この変動後の電位に応じた電流Ｉel（閾値電圧Ｖthに依
存しない電流）が電位供給線Ｌpから駆動トランジスタＴdrを介して被駆動素子Ｅに供給
される。
【特許文献１】特開２００５−９９７７３号公報
【発明の開示】
【発明が解決しようとする課題】
【０００４】
ところで、特許文献１に開示された構成においては、各被駆動素子Ｅに対する電流Ｉel
の供給に伴なって電位供給線Ｌpに電圧降下が発生する場合がある。この場合には、各単
位回路に供給される電源電位Ｖdd（駆動トランジスタＴdrのソースの電位）が各々の位置
に応じて相違する。電流Ｉelの電流値は駆動トランジスタＴdrのゲート−ソース間の電圧
に応じて決定されるから、電位供給線Ｌpでの電圧降下に起因して各駆動トランジスタＴd
rのソースの電位が相違する場合には、被駆動素子Ｅの駆動の状態（例えば階調）が単位
回路ごとに相違する。例えば被駆動素子ＥとしてＯＬＥＤ素子を利用した電子装置におい
ては、各単位回路に供給される電源電位Ｖddの相違が階調（輝度）のムラの原因となり得
る。本発明のひとつの形態は、例えば、電位供給線での電圧の変動に起因した被駆動素子
の状態のバラツキを抑制するために有効である。
【課題を解決するための手段】
【０００５】
本発明のひとつの形態に係る電子回路（例えば図２の単位回路Ｕ）は、制御端子（ゲー
ト）と第１端子（ソースおよびドレインの一方）と第２端子（ソースおよびドレインの他
方）とを備え、制御端子の電位に応じて第１端子と第２端子との導通状態が変化する駆動
トランジスタ（例えば図２の駆動トランジスタＴdr）と、駆動トランジスタの導通状態に
応じて電位供給線（例えば図２の電源線１７）から供給される駆動電圧または駆動電流に
よって駆動される被駆動素子（例えば図２の電気光学素子Ｅ）と、第１電極（例えば図２
の電極Ｅa1）と第２電極（例えば図２の電極Ｅa2）とを備え、第１電極が制御端子に電気
的に接続された第１容量素子（例えば図２の容量素子Ｃ1）と、第２電極と電位供給線と
の電気的な接続を制御する第１スイッチング素子（例えば図２のトランジスタＴr1）とを
具備し、データ線（例えば図２のデータ線１４）から供給されるデータ信号と駆動トラン
ジスタの閾値電圧とに少なくとも応じた制御電位（例えば図７における電位「Ｖdd−Ｖth
−（Ｖdata−Ｖdd）」）が制御端子に供給されることで、制御電位に応じた電圧値を有す
る駆動電圧または制御電位に応じた電流値を有する駆動電流が被駆動素子に供給される駆
動期間の少なくとも一部において、駆動トランジスタは電位供給線に電気的に接続され、
駆動期間の少なくとも一部において、第２電極と電位供給線とが第１スイッチング素子を
介して電気的に接続される。
以上の構成においては、駆動期間の少なくとも一部において第２電極と電位供給線とが
第１スイッチング素子を介して接続されるから、電位供給線の電位の変動が駆動トランジ
スタの導通状態に与える影響が低減される。したがって、電位供給線の電位の変動に拘わ
らず各被駆動素子を所期の状態に駆動することが可能となる。なお、本発明における電位
供給線の典型例は、電源電位を供給するための電源線であるが、電源電位以外の電位（よ
り好適には定電位）が供給される配線を電位供給線として採用してもよい。
【０００６】
以上の態様における制御電位は、データ線に供給されるデータ信号や駆動トランジスタ
の閾値電圧に加えてこれ以外の要素に応じた電位であってもよい。例えば、データ信号や
閾値電圧に加えて駆動トランジスタの利得係数に応じて制御電位が設定される構成によれ
ば、駆動トランジスタにおける利得係数の誤差やバラツキの影響を低減することができる
。また、データ信号は、電圧信号および電流信号の何れであってもよい。
【０００７】
本発明の好適な態様において、第２端子（例えば図２のソースＳ）は電位供給線に対し
て直接的に（すなわち両者間に他の要素が介在することなく）電気的に接続され、データ
線と第２電極との電気的な接続を制御する第２スイッチング素子（例えば図２のトランジ
スタＴr2）と、制御端子と第１端子（例えば図２のドレインＤ）との電気的な接続を制御
する第３スイッチング素子（例えば図２のトランジスタＴr3）とが設置される。この構成
においては、駆動期間の開始前の書込期間の少なくとも一部において、第２スイッチング
素子をオン状態とすることでデータ信号に応じた電位を第２電極に供給するとともに、書
込期間の少なくとも一部において第３スイッチング素子をオン状態とすることで駆動トラ
ンジスタの閾値電圧に応じた電位を第１電極に供給することができる。
【０００８】
より好適な態様において、第２電極と電位供給線との間には第２容量素子（例えば図８
の容量素子Ｃ2）が配置される。この態様によれば、第２容量素子に応じた電位を基準と
して第２電極がデータ信号に応じた電位に設定されるから、データ信号に応じた電圧を高
い精度で第１容量素子に保持させることができる。
【０００９】
さらに別の態様において、駆動トランジスタと被駆動素子との電気的な接続を制御する
第４スイッチング素子（例えば図２のトランジスタＴr4）がさらに配置され、第４スイッ
チング素子は、駆動期間の少なくとも一部においてオン状態となる。この態様によれば、
被駆動素子に対する駆動電圧または駆動電流の供給の可否を第４スイッチング素子の状態
（オン状態／オフ状態）に応じて規定することができる。
【００１０】
本発明のひとつの態様に係る電子装置は、以上に説明した何れかの態様に係る電子回路
を具備する。この電子装置は、複数のデータ線および複数の電位供給線と、以上の各形態
に係る電子回路（単位回路Ｕ）とを具備する。この態様に係る電子装置の典型例は、電気
エネルギの付与によって輝度や透過率といった光学的な性状が変化する電気光学素子を被
駆動素子として採用した電気光学装置（例えば発光素子を電気光学素子として採用した発
光装置）である。
【００１１】
本発明に係る電子装置は各種の電子機器に利用される。この電子機器の典型例は、本発
明の電子装置を表示装置として利用した機器である。この種の電子機器としては、パーソ
ナルコンピュータや携帯電話機などがある。もっとも、本発明に係る電子装置の用途は画
像の表示に限定されない。例えば、光線の照射によって感光体ドラムなどの像担持体に潜
像を形成するための露光装置（露光ヘッド）、液晶装置の背面側に配置されてこれを照明
する装置（バックライト）、あるいは、スキャナなどの画像読取装置に搭載されて原稿を
照明する装置など各種の照明装置など、様々な用途に本発明の電子装置を適用することが
できる。
【００１２】
本発明の別の形態は、以上に説明した各形態に係る電子回路を駆動する方法である。こ
の駆動方法は、データ線（例えば図２のデータ線１４）と電位供給線（例えば図２の電源
線１７）と電子回路（例えば図２の単位回路Ｕ）とを具備し、電子回路が、制御端子（ゲ
ート）と第１端子（ソースおよびドレインの一方）と第２端子（ソースおよびドレインの
他方）とを備える駆動トランジスタ（例えば図２の駆動トランジスタＴdr）と、被駆動素
子（例えば図２の電気光学素子Ｅ）と、第１電極（例えば図２の電極Ｅa1）と第２電極（
例えば図２の電極Ｅa2）とを備えるとともに第１電極が制御端子に電気的に接続された第
１容量素子（例えば図２の容量素子Ｃ1）とを含む電子装置の駆動方法であって、第１期
間（例えば図３の書込期間Ｐwr）において、制御端子の電位を、少なくともデータ線に供
給されるデータ信号と駆動トランジスタの閾値電圧とに応じた制御電位に設定し、第１期
間で設定された制御電位に応じた電圧値を有する駆動電圧または制御電位に応じた電流値
を有する駆動電流を被駆動素子に供給する第２期間（例えば図３の駆動期間Ｐdr）の少な
くとも一部において、駆動トランジスタを介して被駆動素子を電位供給線に電気的に接続
し、第２期間の少なくとも一部において、第２電極を電位供給線に電気的に接続する。
別の観点に係る駆動方法は、制御端子の電位を制御電位に設定する第１期間の少なくと
も一部において、第２電極を電位供給線から電気的に切断し、制御電位に応じた電圧値を
有する駆動電圧または制御電位に応じた電流値を有する駆動電流を被駆動素子に供給する
第２期間の少なくとも一部において、駆動トランジスタを介して被駆動素子を電位供給線
に電気的に接続し、第２期間の少なくとも一部において、第２電極を電位供給線に電気的
に接続する。
以上の方法においては、第２期間の少なくとも一部において第２電極と電位供給線とが
電気的に接続されるから、電位供給線の電位の変動が駆動トランジスタの導通状態に与え
る影響が低減される。したがって、電位供給線の電位の変動に拘わらず各被駆動素子を所
期の状態に駆動することが可能となる。
【００１３】
本発明の好適な態様において、第２電極は、第２期間の全区間にわたって電位供給線に
電気的に接続される。この態様によれば、電位供給線の電位の変動が駆動トランジスタや
被駆動素子の状態に与える影響をいっそう低減することが可能である。
【００１４】
さらに好適な態様では、第１期間において、データ信号に応じた電位を第２電極に供給
するとともに、駆動トランジスタの閾値電圧に応じた電位を第１電極に供給した後に、第
２電極を電位供給線に電気的に接続することによって、制御端子の電位を制御電位に設定
する。この態様によれば、閾値電圧に応じた電位を第１電極に供給するときに第２電極が
データ信号に応じた電位に固定されるから、データ信号と閾値電圧とに応じた電圧を正確
に第１容量素子に保持させることができる。
【００１５】
より具体的には、第２端子（例えば図２のソース）が電位供給線に接続された構成にお
いては、第１期間の少なくとも一部にて第１端子と制御端子とを電気的に接続することに
よって、閾値電圧に応じた電位が第１電極に供給される。この態様によれば、閾値電圧に
応じた電位を簡素な構成によって確実に第１電極に供給することができる。さらに、第１
期間の少なくとも一部において第２電極をデータ線に電気的に接続することで、データ信
号に応じた電位が第２電極に供給される。
【発明を実施するための最良の形態】
【００１６】
＜Ａ：電子装置の構成＞
図１は、本発明のひとつの形態に係る電子装置の構成を示すブロック図である。同図に
例示された電子装置Ｄは、画像を表示する手段として各種の電子機器に搭載される電気光
学装置（発光装置）であり、複数の単位回路（画素回路）Ｕが面状に配列された素子アレ
イ部１０と、各単位回路Ｕを駆動するための走査線駆動回路２２およびデータ線駆動回路
２４とを含む。なお、走査線駆動回路２２およびデータ線駆動回路２４は、素子アレイ部
１０とともに基板上に形成されたトランジスタによって構成されてもよいしＩＣチップの
形態で実装されてもよい。
【００１７】
図１に示すように、素子アレイ部１０には、Ｘ方向に延在するｍ本の走査線１２と、Ｘ
方向に直交するＹ方向に延在するｎ本のデータ線１４とが形成される（ｍおよびｎはとも
に自然数）。各単位回路Ｕは、走査線１２とデータ線１４との交差に対応する各位置に配
置される。したがって、これらの単位回路Ｕは縦ｍ行×横ｎ列のマトリクス状に配列する
。
【００１８】
また、素子アレイ部１０には、各走査線１２と対をなしてＸ方向に延在する（すなわち
データ線１４と交差する）ｍ本の電源線１７が形成される。図１に示すように、これらの
電源線１７には高位側の電源電位Ｖddが供給される。第ｉ行（ｉは１≦ｉ≦ｍを満たす整
数）に属するｎ個の単位回路Ｕの各々には共通の電源線１７を介して電源電位Ｖddが共通
される。
【００１９】
走査線駆動回路２２は、複数の走査線１２の各々（素子アレイ部１０の各行）を順番に
選択するための回路である。データ線駆動回路２４は、走査線駆動回路２２が選択する走
査線１２に接続された１行分（ｎ個）の単位回路Ｕの各々に対応するデータ信号Ｘ[1]〜
Ｘ[n]を生成して各データ線１４に出力する。第ｉ行の走査線１２が選択される期間（後
述する書込期間Ｐwr）にて第ｊ列目（ｊは１≦ｊ≦ｎを満たす整数）のデータ線１４に供
給されるデータ信号Ｘ[j]は、第ｉ行に属する第ｊ列目の単位回路Ｕに指定された階調に
応じた電位（データ電位）Ｖdataとなる。電位Ｖdataは電源電位Ｖddよりも高位である。
各単位回路Ｕの階調は、外部から供給される階調データによって指定される。
【００２０】
次に、図２を参照して、各単位回路Ｕの具体的な構成を説明する。同図においては、第
ｉ行の第ｊ列目に位置するひとつの単位回路Ｕのみが図示されているが、その他の単位回
路Ｕも同様の構成である。
【００２１】
図２に示すように、単位回路Ｕは、電源線１７と接地電位Ｇndとの間に介在する電気光
学素子Ｅを含む。電気光学素子Ｅは、これに供給される駆動電流Ｉelに応じた階調（輝度
）となる電流駆動型の被駆動素子である。本実施形態における電気光学素子Ｅは、有機Ｅ
Ｌ（ElectroLuminescent）材料からなる発光層を陽極と陰極との間に介在させたＯＬＥＤ
素子（発光素子）である。電気光学素子Ｅの陰極は接地（Ｇnd）される。
【００２２】
図２に示すように、図１において便宜的に１本の配線として図示された走査線１２は、
実際には４本の配線（第１制御線１２１・第２制御線１２２・第３制御線１２３および第
４制御線１２４）を含む。各配線には走査線駆動回路２２から所定の信号が供給される。
より具体的には、第ｉ行目の走査線１２を構成する第１制御線１２１には第１制御信号Ｙ
a[i]が供給される。同様に、第２制御線１２２には第２制御信号Ｙb[i]が供給され、第３
制御線１２３には第３制御信号Ｙc[i]が供給され、第４制御線１２４には第４制御信号Ｙ
d[i]が供給される。なお、各信号の具体的な波形やこれに応じた単位回路Ｕの動作につい
ては後述する。
【００２３】
図２に示すように、電源線１７から電気光学素子Ｅに至る経路上にはｐチャネル型の駆
動トランジスタＴdrが配置される。駆動トランジスタＴdrのソース（Ｓ）は電源線１７に
接続される。この駆動トランジスタＴdrは、ソースとドレイン（Ｄ）との導通状態（ソー
ス−ドレイン間の抵抗値）がゲートの電位（以下「ゲート電位」という）Ｖgに応じて変
化することで当該ゲート電位Ｖgに応じた駆動電流Ｉelを生成する手段である。したがっ
て、電気光学素子Ｅは、駆動トランジスタＴdrの導通状態に応じて駆動される。なお、本
実施形態においては、駆動電流Ｉelが駆動トランジスタＴdrから電気光学素子Ｅに流れて
いる期間における電位の高低に基づいて、駆動トランジスタＴdrのうち電気光学素子Ｅ側
の第１端子および駆動トランジスタＴdrの電源線１７側の第２端子をそれぞれドレインお
よびソースと便宜的に定義している。例えば駆動電流Ｉelが流れる方向とは逆方向の電流
（逆バイアス電流）が駆動トランジスタＴdrに流れる期間においては、駆動トランジスタ
Ｔdrのソースとドレインとが逆転することになる。
【００２４】
図２に示すように、本実施形態の単位回路Ｕは、ひとつの容量素子Ｃ1と、ｎチャネル
型の４個のトランジスタ（Ｔr1・Ｔr2・Ｔr3・Ｔr4）とを含む。容量素子Ｃ1は、電極Ｅa
1と電極Ｅa2との間隙に誘電体が介挿された素子である。容量素子Ｃ1の電極Ｅa1は駆動ト
ランジスタＴdrのゲートに接続される。
【００２５】
トランジスタＴr1は、容量素子Ｃ1の電極Ｅa2と電源線１７との間に介在して両者の電
気的な接続（導通／非導通）を制御するスイッチング素子である。トランジスタＴr1のゲ
ートは第３制御線１２３に接続される。また、トランジスタＴr2は、容量素子Ｃ1の電極
Ｅa2とデータ線１４との間に介在して両者の電気的な接続を制御するスイッチング素子で
ある。トランジスタＴr2のゲートは第１制御線１２１に接続される。
【００２６】
トランジスタＴr3は、駆動トランジスタＴdrのゲートとドレインとの間に介在して両者
の電気的な接続を制御するスイッチング素子である。このトランジスタＴr3のゲートは第
２制御線１２２に接続される。トランジスタＴr3がオン状態に遷移すると駆動トランジス
タＴdrはダイオード接続される。
【００２７】
トランジスタＴr4は、駆動トランジスタＴdrのドレインと電気光学素子Ｅの陽極との間
に介在して両者の電気的な接続を制御するスイッチング素子である。トランジスタＴr4の
ゲートは第４制御線１２４に接続される。トランジスタＴr4がオン状態に変化すると、電
源線１７から駆動トランジスタＴdrを経由して電気光学素子Ｅに至る駆動電流Ｉelの経路
が確立される。これに対し、トランジスタＴr4がオフ状態に遷移すると、駆動電流Ｉelの
経路が遮断されて電気光学素子Ｅは消灯する。すなわち、トランジスタＴr4は、電気光学
素子Ｅに対する駆動電流Ｉelの供給の許否を規定する手段として機能する。
【００２８】
次に、図３を参照して、電子装置Ｄにて利用される各信号の具体的な波形を説明する。
同図に示すように、第１制御信号Ｙa[1]〜Ｙa[m]は各フレーム期間Ｆ内の所定の期間（以
下「書込期間」という）Ｐwrごとに順番にハイレベルとなる信号である。すなわち、第１
制御信号Ｙa[i]は、ひとつのフレーム期間Ｆのうち第ｉ番目の書込期間Ｐwrにてハイレベ
ルを維持するとともにそれ以外の期間にてローレベルを維持する。第１制御信号Ｙa[i]の
ハイレベルへの遷移は第ｉ行の選択を意味する。図３に示すように、書込期間Ｐwrの開始
前には初期化期間Ｐreが設定される。また、書込期間Ｐwrの経過後には設定期間Ｐstと駆
動期間Ｐdrとがこの順番に設定される。
【００２９】
第２制御信号Ｙb[i]は、第１制御信号Ｙa[i]がハイレベルとなる書込期間Ｐwrにてハイ
レベルとなり、初期化期間Ｐre・設定期間Ｐstおよび駆動期間Ｐdrにおいてはローレベル
を維持する。図３に示すように、本実施形態の第２制御信号Ｙb[i]は、第１制御信号Ｙa[
i]がハイレベルに遷移する前にハイレベルに立ち上がる。第３制御信号Ｙc[i]は、第１制
御信号Ｙa[i]がハイレベルとなる書込期間Ｐwrとその直前の初期化期間Ｐreとにおいてロ
ーレベルとなり、この書込期間Ｐwrの経過後の設定期間Ｐstおよび駆動期間Ｐdrにてハイ
レベルとなる。第４制御信号Ｙd[i]は、第１制御信号Ｙa[i]がハイレベルとなる書込信号
Ｐwrとその直後の設定期間Ｐstとにおいてローレベルとなり、その前後の初期化期間Ｐre
および駆動期間Ｐdrにおいてハイレベルとなる。
【００３０】
図４ないし図７は、以上の各期間における単位回路Ｕの様子（特に各トランジスタの導
通状態）を模式的に示す回路図である。以下、図４ないし図７を参照しながら、第ｉ行に
属する第ｊ列目の単位回路Ｕの動作の詳細を初期化期間Ｐreと書込期間Ｐwrと設定期間Ｐ
stと駆動期間Ｐdrとに区分して説明する。
【００３１】
(a) 初期化期間Ｐre（図４）  
初期化期間Ｐreにおいては、第４制御信号Ｙd[i]がハイレベルに遷移する。したがって
、図４に示すように、トランジスタＴr4がオン状態に変化して駆動トランジスタＴdrのド
レインと電気光学素子Ｅの陽極とが電気的に接続される。これによって駆動トランジスタ
Ｔdrのドレインは電気光学素子Ｅの特性に応じた所定の電位（例えば電気光学素子Ｅの閾
値電圧）に初期化される。なお、第１制御信号Ｙa[i]・第２制御信号Ｙb[i]および第３制
御信号Ｙc[i]は何れもローレベルであるから、初期化期間ＰreにおいてトランジスタＴr1
・Ｔr2およびＴr3はオフ状態を維持する。
【００３２】
(b) 書込期間Ｐwr（図５）  
書込期間Ｐwrは、データ信号Ｘ[j]の電位Ｖdataと駆動トランジスタＴdrの閾値電圧Ｖt
hとに応じた電圧を容量素子Ｃ1に印加するための期間である。図３に示すように、書込期
間Ｐwrにおいては第２制御信号Ｙb[i]がハイレベルを維持するから、トランジスタＴr3が
オン状態に変化して駆動トランジスタＴdrはダイオード接続される。したがって、図５に
示すように、電源線１７から駆動トランジスタＴdrのソースおよびドレインとトランジス
タＴr3とを経由して容量素子Ｃ1の電極Ｅa1および駆動トランジスタＴdrのゲートに電流
が流れ込む。これによって駆動トランジスタＴdrのゲート電位Ｖgは、図３および図５に
示すように、電源電位Ｖddと駆動トランジスタＴdrの閾値電圧Ｖthとの差分値（Ｖdd−Ｖ
th）に収束する。書込期間Ｐwrは、ゲート電位Ｖgの収束に充分な時間長に設定される。
なお、第４制御信号Ｙd[i]がローレベルに遷移することでトランジスタＴr4はオフ状態に
変化するから、書込期間Ｐwrにおいて駆動電流Ｉelは電気光学素子Ｅに供給されない。
【００３３】
ところで、駆動トランジスタＴdrのドレインは、書込期間Ｐwrの開始前に、ノイズなど
の様々な原因によって電源電位Ｖddよりも高電位となる可能性がある。この状態のままト
ランジスタＴr3をオン状態に変化させたとしても、駆動トランジスタＴdrに電流は流れな
いから、ゲート電位Ｖgを閾値電圧Ｖthに応じた電位に設定することはできない。これに
対し、本実施形態においては、書込期間Ｐwrの開始前の初期化期間Ｐreにおいて駆動トラ
ンジスタＴdrのドレインの電位が所定値まで低下するから、電源線１７から駆動トランジ
スタＴdrとトランジスタＴr3とを経由して電極Ｅa1（駆動トランジスタＴdrのゲート）に
至る電流を書込期間Ｐwrにおいて確実に発生させることができる。したがって、本実施形
態によれば、ノイズなどに起因した誤動作（例えば電気光学素子Ｅが動作しないといった
不具合）を有効に防止できるという利点がある。
【００３４】
図３に示すように、書込期間Ｐwrにおいて第３制御信号Ｙc[i]はローレベルを維持する
から、トランジスタＴr1はオフ状態となる。したがって、電極Ｅa2は電源線１７から電気
的に切り離される。一方、書込期間Ｐwrにおいて第１制御信号Ｙa[i]はハイレベルに変化
するから、トランジスタＴr2がオン状態に変化する。これによってデータ線１４と電極Ｅ
a2とが電気的に接続される。また、データ線１４に供給されるデータ信号Ｘ[j]は書込期
間Ｐwrにおいて電位Ｖdataに設定される。したがって、図５に示すように、容量素子Ｃ1
の電極Ｅa2にはデータ線１４から電位Ｖdataが供給される。以上に説明したように、書込
期間Ｐwrにおいては、駆動トランジスタＴdrの閾値電圧Ｖthに応じた電位（Ｖdd−Ｖth）
を電極Ｅa1に供給する動作とデータ信号Ｘ[j]の電位Ｖdataを電極Ｅa2に供給する動作と
が並行して実施される。
【００３５】
(c) 設定期間Ｐst（図６）  
設定期間Ｐstは、ゲート電位Ｖgを電位Ｖdataおよび閾値電圧Ｖthに応じた電位に設定
して駆動トランジスタＴdrを導通状態に変化させるための期間である。設定期間Ｐstにお
いては、第２制御信号Ｙb[i]がローレベルに遷移するから、図６に示すように、トランジ
スタＴr3がオフ状態に変化して駆動トランジスタＴdrのダイオード接続は解除される。駆
動トランジスタＴdrのゲートのインピーダンスは充分に高いから、設定期間Ｐstにおいて
電極Ｅa1はフローティング状態となる。また、トランジスタＴr4はローレベルの第４制御
信号Ｙd[i]によってオフ状態を維持するから、電気光学素子Ｅに対する駆動電流Ｉelの供
給は停止される。
【００３６】
図３に示すように、設定期間Ｐstにおいては第１制御信号Ｙa[i]がローレベルに遷移す
るから、トランジスタＴr2はオフ状態に変化してデータ線１４と電極Ｅa2とが電気的に絶
縁される。一方、設定期間Ｐstにおいては第３制御信号Ｙc[i]がハイレベルに遷移するか
ら、図６に示すようにトランジスタＴr1はオン状態に変化する。これによって電極Ｅa2は
電源線１７に対して電気的に接続されるから、電極Ｅa2には電源線１７からトランジスタ
Ｔr1を介して電源電位Ｖddが供給される。すなわち、電極Ｅa2の電位は書込期間Ｐwrにて
設定された電位Ｖdataから電源電位Ｖddに変化（低下）する。
【００３７】
電極Ｅa2とともに容量素子Ｃ1を構成する電極Ｅa1は設定期間Ｐstにおいてフローティ
ング状態にあるから、電極Ｅa2が電位Ｖdataから電源電位Ｖddに変動すると、電極Ｅa1も
この変動量に応じたレベルだけ変化する。例えばいま、電極Ｅa1や駆動トランジスタＴdr
に付随する容量（例えば駆動トランジスタＴdrのゲート容量）を便宜的に無視すると、電
極Ｅa1の電位（ゲート電位Ｖg）は、書込期間Ｐwrにて設定された電位「Ｖdd−Ｖth」か
ら、電極Ｅa2における電位の変動量「Ｖdata−Ｖdd」と同じレベルだけ低下する。すなわ
ち、図３および図６に示すように、設定期間Ｐstの終了点において、ゲート電位Ｖgは、
電位Ｖdataおよび閾値電圧Ｖthに応じた電位「Ｖdd−Ｖth−（Ｖdata−Ｖdd）」（以下「
制御電位」という）に設定される。これによって駆動トランジスタＴdrは導通状態に変化
する。
【００３８】
(d) 駆動期間Ｐdr（図７）  
駆動期間Ｐdrは、ゲート電位Ｖgに応じて電気光学素子Ｅを実際に駆動するための期間
である。この駆動期間Ｐdrでは第４制御信号Ｙd[i]がハイレベルに遷移するから、図７に
示すようにトランジスタＴr4がオン状態に変化して駆動トランジスタＴdrと電気光学素子
Ｅとが電気的に接続される。したがって、駆動トランジスタＴdrのゲート電位Ｖg（制御
電位）に応じた駆動電流Ｉelが、電源線１７から駆動トランジスタＴdrとトランジスタＴ
r4とを経由して電気光学素子Ｅに供給される。一方、トランジスタＴr1はハイレベルの第
３制御信号Ｙc[i]によって駆動期間Ｐdrにおいてもオン状態に維持されるから、容量素子
Ｃ1の電極Ｅa2は設定期間Ｐstから引続き電源電位Ｖddに維持される。
【００３９】
駆動トランジスタＴdrが飽和領域で動作すると仮定すれば、駆動電流Ｉelは以下の式(1
)で表現される電流値となる。なお、式(1)における「β」は駆動トランジスタＴdrの利得
係数である。また、「Ｖgs」は駆動トランジスタＴdrのゲート−ソース間の電圧であり、
式(2)のようにゲート電位Ｖgとソースの電位Ｖsとの差分値に相当する。
Ｉel＝（β／２）（Ｖgs−Ｖth）２  ……(1)
Ｖgs＝Ｖs−Ｖg  ……(2)
【００４０】
駆動トランジスタＴdrのソースは電源線１７に接続されているから、式(2)における電
位Ｖsは電位Ｖddに相当する。また、設定期間Ｐstの終了点（駆動期間Ｐdrの開始点）に
おいてゲート電位Ｖgは制御電位「Ｖdd−Ｖth−（Ｖdata−Ｖdd）」に設定されている。
以上を考慮すると、式(1)は以下の式(3)に変形される。
Ｉel＝（β／２）［Ｖdd−｛Ｖdd−Ｖth−（Ｖdata−Ｖdd）｝−Ｖth］２
＝（β／２）（Ｖdata−Ｖdd）２  ……(3)
以上のように駆動電流Ｉelは電位Ｖdataに応じた電流値となるから、駆動期間Ｐdrにお
いて電気光学素子Ｅは電位Ｖdataに応じた階調（輝度）に駆動される。また、式(3)から
理解されるように、駆動電流Ｉelは駆動トランジスタＴdrの閾値電圧Ｖthに依存しない。
したがって、本実施形態によれば、各駆動トランジスタＴdrの閾値電圧Ｖthのバラツキを
補償して各電気光学素子Ｅの階調のムラを抑制することができる。
【００４１】
ところで、各電源線１７から各単位回路Ｕの電気光学素子Ｅに駆動電流Ｉelが流れると
、各電源線１７には電圧降下が発生する。いま、電源線１７からひとつの単位回路Ｕに供
給される電源電位Ｖddが、各単位回路Ｕに対する駆動電流Ｉelの供給によって駆動期間Ｐ
dr内に「ΔＶ」だけ降下した場合を想定する。駆動期間Ｐdrにおいて電極Ｅa2は電源線１
７に接続されるから、電極Ｅa2の電位は本来の電源電位Ｖddから「ΔＶ」だけ降下する。
駆動期間Ｐdrにおいて電極Ｅa1はフローティング状態にあるから、電極Ｅa1の電位（ゲー
ト電位）Ｖgは電極Ｅa2の電位の変化分「ΔＶ」だけ低下する。一方、駆動トランジスタ
Ｔdrのソースは電源線１７に接続されているから、ソースの電位Ｖsは「ΔＶ」だけ低下
する。以上から理解されるように、電源線１７の電源電位Ｖddが駆動期間Ｐdrにて「ΔＶ
」だけ変動すると、式(2)における「Ｖg」が「Ｖg−ΔＶ」となる一方で同式の「Ｖs」が
「Ｖs−ΔＶ」となる。したがって、駆動トランジスタＴdrのゲート−ソース間の電圧Ｖg
sは、電源線１７における電源電位Ｖddの変動に拘わらず、式(2)で表現される「Ｖs−Ｖg
」に維持される。以上のように、本実施形態においては、駆動電流Ｉelに対する電源電位
Ｖddの降下（ΔＶ）の影響が結果的にキャンセルされるから、駆動期間Ｐdrにて電源電位
Ｖddが変動しても電気光学素子Ｅの階調には影響しない。
【００４２】
また、本実施形態においては各電源線１７が走査線１２と平行な方向（Ｘ方向）に延在
するから、電源線１７がデータ線１４に沿ってＹ方向に延在する構成（以下「対比例」と
いう）と比較して、書込期間Ｐwrや設定期間Ｐstにおける電源電位Ｖddの低下を抑制でき
るという効果がある。この効果について詳述すると以下の通りである。
【００４３】
対比例の構成（すなわちＹ方向に配列するｍ個の単位回路Ｕが共通の電源線１７に接続
された構成）においては、第ｉ行に属する第ｊ列目の単位回路Ｕに電位Ｖdataを取込む書
込期間Ｐwrにおいて、他の各行に属する同列（第ｊ列目）の各単位回路Ｕに駆動電流Ｉel
が供給される。これによって第ｉ行の書込期間Ｐwrにおいては第ｊ列目の電源線１７の電
源電圧Ｖddが降下するから、第ｉ行に属する第ｊ列目の単位回路Ｕについて容量素子Ｃ1
の電極Ｅa1に所期の電位（Ｖdd−Ｖth）を供給することは困難である。この電位の誤差に
よって電気光学素子Ｅの階調にムラ（特にＹ方向に沿ったスジ状のムラ）が発生する場合
がある。
【００４４】
これに対し、本実施形態のように電源線１７がＸ方向に延在する構成においては、ひと
つの電源線１７に共通に接続された第ｉ行の各単位回路Ｕにおいては書込期間Ｐwrの動作
が並列に実行される。すなわち、ひとつの単位回路Ｕが書込期間Ｐwrの動作を実行してい
るときに、これと共通の電源線１７に接続された単位回路Ｕに駆動電流Ｉelが供給される
ことはない。したがって、電位Ｖdataと閾値電圧Ｖthとに応じた電圧を書込期間Ｐwrにお
いて各単位回路Ｕの容量素子Ｃ1に正確に印加することができる。すなわち、本実施形態
によれば、書込期間Ｐwrにおける電源電圧Ｖddの降下に起因した電気光学素子Ｅの階調の
ムラを有効に抑制することができる。
【００４５】
また、いわゆる電圧プログラム方式の構成（例えば図１４の構成）においては、電流Ｉ
elが電位供給線Ｌpから駆動トランジスタＴdrを経由して被駆動素子Ｅに供給され始める
ときに電源電位Ｖddが変動する。したがって、被駆動素子Ｅの駆動に先立って駆動トラン
ジスタＴdrのゲートの電位が電位Ｖdataと閾値電圧Ｖthとに応じた電圧に設定されるとき
と、電流Ｉelの供給によって被駆動素子Ｅが実際に駆動されるときとでは、駆動トランジ
スタＴdrのゲート−ソース間の電圧が相違し、この結果として電流Ｉelの電流値に誤差が
発生する場合がある。これを回避するための構成としては、例えば、電源供給線Ｌpとは
別個の配線を介して所定の電位（電源電位Ｖddとは異なる電位）を駆動素子Ｅの駆動時に
て電極ａに供給する構成も考えられるが、配線数の増加による単位回路の複雑化やこれに
起因した歩留まりおよび開口率の低下といった問題が生じ得る。
【００４６】
これに対し、本実施形態においては、駆動期間Ｐdrにおいて電源線１７を介して電源電
位Ｖddが電極Ｅa2に供給されるから、電極Ｅa2に定電位を供給するために電源線１７とは
別個の配線を形成する必要はない。したがって、歩留まりや開口率の低下といった問題は
生じない。また、駆動期間Ｐdrにおける電源電位Ｖdd1が書込期間Ｐwrにおける電源電位
Ｖdd0から変動した場合を想定すると、設定期間Ｐstの終了点（駆動期間Ｐdrの開始点）
においてゲート電位Ｖgは「Ｖdd0−Ｖth−（Ｖdata−Ｖdd1）」に設定される。駆動期間
Ｐdrにおける駆動トランジスタＴdrのソースの電位は「Ｖdd1」であるから、式(2)で表現
されるゲート−ソース間の電圧Ｖgsにおいて変動後の電源電位Ｖdd1は相殺される。以上
のように本実施形態によれば、書込期間Ｐwrと駆動期間Ｐdrとにおける電源電位Ｖddの相
違が電圧Ｖgsに与える影響が抑制され、この結果として電気光学素子Ｅを高い精度で所期
の階調に制御できるという利点がある。
【００４７】
＜Ｂ：変形例＞
以上の形態には様々な変形を加えることができる。具体的な変形の態様を例示すれば以
下の通りである。なお、以下の各態様を適宜に組み合わせてもよい。
【００４８】
（１）変形例１  
図８に示すように、容量素子Ｃ1の電極Ｅa2と電源線１７との間に容量素子Ｃ2が介在す
る構成としてもよい。容量素子Ｃ2は、電源線１７に電気的に接続された電極Ｅb1と容量
素子Ｃ1の電極Ｅa2に電気的に接続された電極Ｅb2との間隙に誘電体を介在させた素子で
ある。この構成によれば、書込期間ＰwrにおいてトランジスタＴr2がオン状態に遷移した
ときの電極Ｅa2の電位が容量素子Ｃ2の容量値に応じて決定される（すなわち電極Ｅa2の
電位の基準が確定される）から、電位Ｖdataと閾値電圧Ｖthとに応じた電圧を容量素子Ｃ
1に高い精度で保持させることができる。
【００４９】
（２）変形例２  
単位回路Ｕの具体的な構成は以上の例示に限定されない。例えば、図２におけるトラン
ジスタＴr4が省略された構成（すなわち駆動トランジスタＴdrと電気光学素子Ｅとが直接
的に接続された構成）も採用される。さらに、感光体ドラムなどの感光体を露光して潜像
（静電潜像）を形成する露光装置（光ヘッド）として利用される電子装置Ｄにおいては、
複数の単位回路Ｕを主走査方向に沿って一列に配置した構成が採用される。この構成のも
とでは各単位回路Ｕを行ごとに選択する必要がないから、トランジスタＴr2や走査線１２
は適宜に省略される（すなわち電極Ｅa2がデータ線１４に対して直接に接続される）。
【００５０】
また、単位回路Ｕを構成する各トランジスタの導電型は図２の態様から適宜に変更され
る。例えば、図９に示すように、トランジスタＴr1およびトランジスタＴr4がｐチャネル
型とされた構成も採用される。この構成においては、４個のトランジスタＴr1〜Ｔr4の各
々のゲートがひとつの走査線１２に対して共通に接続される。図１０に示すように、第ｉ
行目の走査線１２に供給される走査信号Ｙ[i]は、書込期間Ｐwrにてハイレベルに遷移す
るとともに駆動期間Ｐdrにてローレベルを維持する。
【００５１】
書込期間Ｐwrにおいては、ハイレベルの走査信号Ｙ[i]によってトランジスタＴr2とト
ランジスタＴr3とがオン状態に変化する。したがって、図２の形態と同様に、容量素子Ｃ
1の電極Ｅa2にはデータ線１４からトランジスタＴr2を介して電位Ｖdataが供給されると
ともに、駆動トランジスタＴdrの閾値電圧Ｖthに応じた電位「Ｖdd−Ｖth」がトランジス
タＴr3を介して容量素子Ｃ1の電極Ｅa1に供給される。また、駆動期間Ｐdrにおいては、
走査信号Ｙ[i]がローレベルに遷移することでトランジスタＴr1とトランジスタＴr4とが
オン状態に変化する。電源電位ＶddがトランジスタＴr1を介して電極Ｅa2に供給されると
ゲート電位Ｖgは制御電位「Ｖdd−Ｖth−（Ｖdata−Ｖdd）」に設定され、これによって
駆動トランジスタＴdrは導通状態となる。したがって、このゲート電位Ｖgに応じた駆動
電流ＩelがトランジスタＴr4を経由して電気光学素子Ｅに供給される。
【００５２】
以上に説明したように、図９の構成によっても図２の形態と同様の作用および効果が奏
される。さらに、図９の構成によれば、各単位回路Ｕを駆動するための配線数が削減され
るとともに走査線駆動回路２２から出力される信号が簡素化されるという利点がある。
【００５３】
（３）変形例３  
以上の形態においては、電気光学素子Ｅに駆動電流Ｉelが供給される駆動期間Ｐdrの全
区間にわたってトランジスタＴr1がオン状態に維持される構成を例示したが、トランジス
タＴr1がオン状態となる期間（すなわち電極Ｅa2に電源電位Ｖddが供給される期間）は駆
動期間Ｐdrの一部であってもよい。また、以上の形態においては設定期間Ｐstが駆動期間
Ｐdrとは別個の期間とされた構成を例示したが、設定期間Ｐstを駆動期間Ｐdrと区別する
必要は必ずしもない。例えば、図３に図示された設定期間Ｐstの開始点から第４制御信号
Ｙd[i]をハイレベルに遷移させる構成（すなわち図３の設定期間Ｐstと駆動期間Ｐdrとを
併せて駆動期間とする構成）も採用される。
【００５４】
また、駆動トランジスタＴdrの閾値電圧Ｖthに応じた電位（Ｖdd−Ｖth）が電極Ｅa1に
供給される期間と電極Ｅa2に電位Ｖdataが供給される期間とが一致する必要は必ずしもな
い。例えば、閾値電圧Ｖthに応じた電位が電極Ｅa1に供給される期間（すなわち第２制御
信号Ｙb[i]がハイレベルに遷移してトランジスタＴr3がオン状態となる期間）の一部のみ
において電極Ｅa2に電位Ｖdataが供給される構成としてもよいし、電極Ｅa2に電位Ｖdata
が供給される期間の一部のみにおいて閾値電圧Ｖthに応じた電位が電極Ｅa1に供給される
構成としてもよい。
【００５５】
（４）変形例４  
以上の形態においては電気光学素子ＥとしてＯＬＥＤ素子を例示したが、本発明の電子
装置に採用される電気光学素子（被駆動素子）はこれに限定されない。例えば、ＯＬＥＤ
素子に代えて、無機ＥＬ素子や、フィールド・エミッション（ＦＥ）素子、表面導電型エ
ミッション（ＳＥ：Surface-conduction  Electron-emitter）素子、弾道電子放出（ＢＳ
：Ballistic  electron Surface  emitting）素子、ＬＥＤ（Light  Emitting  Diode）
素子といった様々な自発光素子、さらには液晶素子や電気泳動素子やエレクトロクロミッ
ク素子など様々な電気光学素子を利用することができる。また、本発明は、バイオチップ
などのセンシング装置にも適用される。
【００５６】
以上に例示したように、本発明の被駆動素子とは、電気エネルギの付与によって所期の
状態に制御（駆動）される総ての要素を含む概念であり、発光素子などの電気光学素子は
被駆動素子の例示に過ぎない。なお、被駆動素子には、ＯＬＥＤ素子のような電流駆動型
の素子のほか、各々に印加される電圧（以下「駆動電圧」という）に応じて駆動される電
圧駆動型の被駆動素子がある。電圧駆動型の被駆動素子が採用された電子装置Ｄにおいて
は、電位Ｖdataと閾値電圧Ｖthとに応じた制御電位（以上の形態における「Ｖdd−Ｖth−
（Ｖdata−Ｖdd）」）が駆動トランジスタＴdrのゲートに供給され、この制御電位に対応
した電圧値の駆動電圧が供給されることで被駆動素子が駆動される。
【００５７】
＜Ｃ：応用例＞
次に、本発明に係る電子装置（電気光学装置）を利用した電子機器について説明する。
図１１ないし図１３には、以上に説明した何れかの形態に係る電子装置Ｄを表示装置とし
て採用した電子機器の形態が図示されている。
【００５８】
図１１は、以上の各形態に係る電子装置Ｄを採用したモバイル型のパーソナルコンピュ
ータの構成を示す斜視図である。パーソナルコンピュータ２０００は、各種の画像を表示
する電子装置Ｄと、電源スイッチ２００１やキーボード２００２が設置された本体部２０
１０とを具備する。電子装置ＤはＯＬＥＤ素子を電気光学素子Ｅとして使用しているので
、視野角が広く見易い画面を表示できる。
【００５９】
図１２に、以上の各形態に係る電子装置Ｄを適用した携帯電話機の構成を示す。携帯電
話機３０００は、複数の操作ボタン３００１およびスクロールボタン３００２と、各種の
画像を表示する電子装置Ｄとを備える。スクロールボタン３００２を操作することによっ
て、電子装置Ｄに表示される画面がスクロールされる。
【００６０】
図１３に、以上の各形態に係る電子装置Ｄを適用した携帯情報端末（ＰＤＡ：Personal
Digital Assistants）の構成を示す。情報携帯端末４０００は、複数の操作ボタン４０
０１および電源スイッチ４００２と、各種の画像を表示する電子装置Ｄとを備える。電源
スイッチ４００２を操作すると、住所録やスケジュール帳といった様々な情報が電子装置
Ｄに表示される。
【００６１】
なお、本発明に係る電子装置が適用される電子機器としては、図１１から図１３に示し
た機器のほか、デジタルスチルカメラ、テレビ、ビデオカメラ、カーナビゲーション装置
、ページャ、電子手帳、電子ペーパー、電卓、ワードプロセッサ、ワークステーション、
テレビ電話、ＰＯＳ端末、プリンタ、スキャナ、複写機、ビデオプレーヤ、タッチパネル
を備えた機器等などが挙げられる。また、本発明に係る電子装置の用途は画像の表示に限
定されない。例えば、光書込み型のプリンタや電子複写機といった画像形成装置において
は、用紙などの記録材に形成されるべき画像に応じて感光体を露光する書込みヘッドが使
用されるが、この種の書込みヘッドとしても本発明の電子装置は利用される。
【図面の簡単な説明】
【００６２】
【図１】本発明の実施形態に係る電子装置の構成を示すブロック図である。
【図２】ひとつの単位回路の構成を示す回路図である。
【図３】電子装置の動作を説明するためのタイミングチャートである。
【図４】初期化期間における単位回路の様子を示す回路図である。
【図５】書込期間における単位回路の様子を示す回路図である。
【図６】設定期間における単位回路の様子を示す回路図である。
【図７】駆動期間における単位回路の様子を示す回路図である。
【図８】変形例に係る単位回路の構成を示す回路図である。
【図９】変形例に係る単位回路の構成を示す回路図である。
【図１０】電子装置の動作を説明するためのタイミングチャートである。
【図１１】本発明に係る電子機器の具体的な形態を示す斜視図である。
【図１２】本発明に係る電子機器の具体的な形態を示す斜視図である。
【図１３】本発明に係る電子機器の具体的な形態を示す斜視図である。
【図１４】従来の電子装置の構成を示す回路図である。
【符号の説明】
【００６３】
Ｄ……電子装置、Ｕ……単位回路、Ｅ……電気光学素子、１０……素子アレイ部、１２…
…走査線、１２１……第１制御線、１２２……第２制御線、１２３……第３制御線、１２
４……第４制御線、１４……データ線、１７……電源線、２２……走査線駆動回路、２４
……データ線駆動回路、Ｃ1，Ｃ2……容量素子、Ｅa1，Ｅa2，Ｅb1，Ｅb2……電極、Ｔdr
……駆動トランジスタ、Ｔr1，Ｔr2，Ｔr3，Ｔr4……トランジスタ、Ｐre……初期化期間
、Ｐwr……書込期間、Ｐst……設定期間、Ｐdr……駆動期間。
【図１】
2007187779.tif 000003
【図２】
2007187779.tif 000004
【図３】
2007187779.tif 000005
【図４】
2007187779.tif 000006
【図５】
2007187779.tif 000007
【図６】
2007187779.tif 000008
【図７】
2007187779.tif 000009
【図８】
2007187779.tif 000010
【図９】
2007187779.tif 000011
【図１０】
2007187779.tif 000012
【図１１】
2007187779.tif 000013
【図１２】
2007187779.tif 000014
【図１３】
2007187779.tif 000015
【図１４】
2007187779.tif 000016